(57)【特許請求の範囲】
【請求項１】
Ｈ形鋼からなる横架材と、前記横架材の側面を覆う外装部と、前記横架材に支持された外床部とを備えた建物であって、
前記外床部の上面に降り落ちた雨水を堰き止める立上り部を備え、
前記外装部の上端部のレベルが前記外床部の上面のレベルと同じ高さ、または前記外床部の上面のレベルよりも低く、
前記立上り部は、前記外装部の外表面を含む仮想面よりも前記外床部側に後退した位置で、且つ、側面を前記外装部で覆われた前記横架材であるＨ形鋼のウェブよりも前記外装部側に設けられており、
前記立上り部の上端部のレベルは、前記外床部の上面のレベルよりも高く、
前記外装部の上端部のレベルは、前記立上り部の上端部のレベルよりも低いことを特徴とする建物。
【請求項２】
前記外床部は床パネルによって形成され、
前記床パネルは、前記横架材の内側において、前記横架材の上端面よりも下方に落とし込まれた位置に配置されていることを特徴とする請求項１記載の建物。
【請求項３】
前記立上り部から前記外装部までを覆う水切り部を更に備え、
前記水切り部は、前記立上り部の上端部から前記外装部の上端部までを結ぶ仮想の傾斜面に沿って配置された傾斜片と、前記傾斜片の下端から張り出す薄板状であると共に、水勾配を付ける程度に略水平の下部片とを有していることを特徴とする請求項１または２記載の建物。
【発明の詳細な説明】
【技術分野】
【０００１】
本発明は、陸屋根やベランダなどの外床部を備えた建物に関する。
【背景技術】
【０００２】
従来より、軸組構法の建物の、陸屋根、平坦な板状の庇、ベランダ等の外床部においては、外周部にスラブを支持する横架材（梁）を配置し、この横架材の側面を覆う外装パネルを外部床面よりも高く立ち上げ、すなわちパラペットを形成し、外床部の床面あるいは外床部とパラペットとで形成される入隅部の所定位置に雨水排水用のドレインを設けるのが一般的であった。このようにパラペットを形成しドレインを設けることによって、外床部に振り落ちた雨水は、ドレインから集中的に建物外部に流れ出るので、外床部の外周部に雨垂れが生じないようにすることができる（特許文献１、２参照）。
【先行技術文献】
【特許文献】
【０００３】
【特許文献１】特開平０８−２６０５６３号公報
【特許文献２】特開平０８−３３８１０９号公報
【発明の概要】
【発明が解決しようとする課題】
【０００４】
ところで、建築基準法等の法令には、道路斜線制限、北側斜線制限といった建物の各部の高さを制限する規定があり、上記のようなパラパットを備えた建物はこの制限の影響を受けやすい。特に、工業化住宅のように、使用する部材や収まりが規格化（標準化）された建物を狭隘な敷地に建築する場合は対応が難しく、所望の面積の建物が建築できなくなることもある。
【０００５】
本発明はこのような従来技術の課題を解決し、外床部に振り落ちた雨水を堰き止めて雨垂れを抑制すると共に、上記の斜線制限等をクリアし易い建物を提供することを目的とする。
【課題を解決するための手段】
【０００６】
本発明は、Ｈ形鋼からなる横架材と、横架材の側面を覆う外装部と、横架材に支持された外床部とを備えた建物であって、外床部の上面に降り落ちた雨水を堰き止める立上り部を備え、外装部の上端部のレベルが外床部の上面のレベルと同じ高さ、または外床部の上面のレベルよりも低く、立上り部は、外装部の外表面を含む仮想面よりも外床部側に後退した位置で、且つ、側面を外装部で覆われた横架材であるＨ形鋼のウェブよりも外装部側に設けられており、立上り部の上端部のレベルは、外床部の上面のレベルよりも高く、外装部の上端部のレベルは、立上り部の上端部のレベルよりも低いことを特徴とする。
【０００７】
本発明では、外床部の上面に振り落ちた雨水を堰き止める立上り部を備えているので、外床部に振り落ちた雨水を堰き止めて雨垂れが生じないようにすることができる。また、立上り部が外装部の外表面を含む仮想面よりも外床部側に後退しているため、道路斜線制限や北側斜線制限などの斜線制限からは外れ易くなる。さらに、立上り部の代わりに外装部の上端部が斜線制限を受けたとしても、この上端部のレベルが外床部の上面のレベルと同じ高さ、または外床部の上面のレベルよりも低いため、外装部の上端部が外床部の上面のレベルよりも高い場合に比べて斜線制限をクリアし易くなる。
【０００８】
さらに、外床部は床パネルによって形成され、床パネルは、横架材の内側において、横架材の上端面よりも下方に落とし込まれた位置に配置されていると好適である。床パネルが横架材の上端面に載置されいる態様に比べ、上記構成によれば、床パネルによって形成される外床部の上面を低くできる。その結果、外床部の上面に振り落ちた雨水を堰き止める立上り部の嵩を低くでき、斜線制限をクリアし易くなる。
【０００９】
さらに、立上り部から外装部までを覆う水切り部を備え、水切り部は、立上り部の上端部から外装部の上端部までを結ぶ仮想の傾斜面に沿って配置された傾斜片と、傾斜片の下端から張り出す薄板状であると共に、水勾配を付ける程度に略水平の下部片とを有していると好適である。立上り部から外装部までを覆う水切り部を設けることで雨水の進入を防ぐことができる。さらに、立上り部の上端部から外装部の上端部までを結ぶ仮想の傾斜面に沿って水切り部が配置されているので、制限を受ける斜線に倣って水切り部を配置し易くなり、斜線制限をクリアし易くなる。
【発明の効果】
【００１０】
本発明によれば、外床部に振り落ちた雨水を堰き止めて雨垂れを抑制すると共に、道路斜線制限や北側斜線制限などの斜線制限をクリアし易くなる。
【図面の簡単な説明】
【００１１】
【図１】本発明の実施形態に係る建物の庇部を拡大して示す断面図である。
【発明を実施するための形態】
【００１２】
以下、本発明の好適な実施形態について図面を参照しながら説明する。
【００１３】
図１に示されるように、本実施形態に係る建物１は工業化住宅であり、使用する部材や収まりが規格化（標準化）されている。庇部３は、内部空間と外部空間とを区画する外壁（図示省略）よりも外側に張り出すように形成され、上方、及び下方の両方が外部空間になっている。庇部３は、略水平に配置されたスラブ（外床部）５と、スラブ５の上面５ａに振り落ちた雨水を堰き止め、外装パネル７の外表面７ａを伝って流れ落ちる雨垂れを防ぐ立上り部９とを備えている。
【００１４】
ところで、建築基準法等の法令には、道路斜線制限、北側斜線制限といった建物の各部の高さを制限する規定があり、一般に、外床部上の雨水を堰き止めるパラパットを備えた建物では、この制限の影響を受けやすい。特に、使用する部材や収まりが規格化（標準化）されている工業化住宅の場合には、狭隘な敷地に建築する場合は対応が難しく、所望の面積の建物が建築できなくなることもある。本実施形態に係る建物１の場合、工業化住宅であって雨水を堰き止める立上り部９を備えつつも、上記の斜線制限をクリアし易くなるという特徴を備えている。以下、詳しく説明する。
【００１５】
スラブ５は、軽量気泡コンクリート（ＡＬＣ）パネルやＰＣパネルなどのコンクリート系の複数の床パネル１１が敷き並べられて形成されており、複数の床パネル１１は鼻先梁１３によって支持されている。鼻先梁１３は、軸組みから外側に突き出すように設けられた片持ち梁（図示省略）の先端で支持されており、上部フランジ１３ａ、下部フランジ１３ｂ、及び上下のフランジ１３ａ，１３ｂを結合するウェブ１３ｃを備えたＨ型鋼からなる。本実施形態では、鼻先梁１３が横架材に相当する。
【００１６】
床パネル１１は、鼻先梁１３の内側において、鼻先梁１３の上端面１３ｄよりも下方に落とし込まれた位置に配置されている。具体的には、鼻先梁１３のウェブ１３ｃの床パネル１１側には、床パネル１１を支持するための支持金物１５が結合されており、支持金物１５には、上部にＬ字状の切欠部１５ａが設けられている。切欠部１５ａには断面Ｌ字状のパネル支持定規金物１７が当接され、床パネル１１はパネル支持定規金物１７に支持されている。その結果として、床パネル１１は、鼻先梁１３の上端面１３ｄよりも下方に落とし込まれた位置に配置されている態様を具現化している。
【００１７】
鼻先梁１３の上部フランジ１３ａには、断面略コの字状の長尺部材（以下「立上り部材」という）１８がボルト結合されて立上り部９が形成されている。立上り部材１８は、上部フランジ１３ａに当接するベース片１８ａと、防水シートからなる防水層２１の端部を収めるために立ち上がる立設片１８ｂと、立設片１８ｂの上端から屈曲して防水層２１の端部を保持する天端片１８ｃとを有する。
【００１８】
床パネル１１の上方には、防水層２１が設けられている。防水層２１としては、例えば、軟質の塩化ビニール等の合成樹脂からなる防水シート、またはＦＲＰなどを用いることができ、本実施形態では防水シートを用いている。床パネル１１と防水層２１との間には、適宜水勾配を形成するための下地モルタルを打設したり、勾配断熱材を敷設したりしてもよい。本実施形態では、立上り部材１８の立設片１８ｂと床パネル１１との間にモルタル２３が打設され、さらに、床パネル１１と防水層２１との間には断熱層２５が介在する。本実施形態では、床パネル１１、断熱層２５、及び防水層２１によってスラブ５が形成される。
【００１９】
立上り部９は、スラブ５の上面５ａに振り落ちた雨水を堰き止める機能を有し、スラブ５の外周となる縁に沿って連続的に形成されている。また、立上り部９の上端部９ａのレベルはスラブ５の上面５ａよりも僅かに高い位置となるように設けられている。なお、本実施形態の説明において使用する「レベル」とは、鉛直方向の高さの程度を示す。
【００２０】
立上り部材１８のベース片１８ａには、略鉛直に折り曲げられて形成されたリップ片１８ｄが設けられており、リップ片１８ｄには、外装パネル７を支持するための上部定規金物２７が固定されている。上部定規金物２７は断面略Ｌ字状であり、外装パネル７の上端に対向するように延在する上部片２７ａと、略鉛直に延在して外装パネル７の側面に当接する当接片２７ｂとを有する。また、鼻先梁１３の下部フランジ１３ｂには、外装パネル７を支える下部定規金物２９がボルト結合されている。下部定規金物２９には、軒天パネルを係止して軒天井３１を形成する軒天係止部材２９ａが結合されている。
【００２１】
外装パネル（外装部）７は軽量気泡コンクリート（ＡＬＣ）パネルやＰＣパネル等からなり、鼻先梁１３の側面１３ｅを覆うように配置されている。庇部３に用いられる外装パネル７としては、一般に外壁を構成する外装パネルと同一の規格、デザイン等を有し、高さ寸法のみを短く切り詰めたものが用いられることが多い。本実施形態に係る外装パネル７も、この種の構成からなるが、庇部３の外装パネル７としては、このような構成に限定されるものではなく、外壁を構成する外装パネルとは異なる規格やデザインを有するものであってもよい。
【００２２】
また、庇部３の外装パネル７の場合、鼻先梁１３の側面１３ｅを覆うのに必要最低限の高さ寸法を有するように構成するのが好ましく、少なくとも上端部７ｂの高さのレベルが鼻先梁１３の上端部１３ｄのレベルにほぼ一致するように構成される。鼻先梁１３の下端部１３ｆのレベルについては、外装パネル７の取り付けや軒天井３１の納まりに支障がない範囲内で極力高く設定されるのが好ましい。
【００２３】
外装パネル７の上部は、ドリルスクリュー（「ドリルねじ」ともいう）３３によって当接片に結合されている。また、外装パネル７の下部は、下部定規金物２９に当接し、貫通ボルト３５によって下部定規金物２９に連結されている。また、外装パネル７の下端には、下笠木３７が装着されている。本実施形態では、外装パネル７の上端部７ｂのレベルは、スラブ５の上面５ａのレベルよりも低くなっているが、外装パネル７の上端部７ｂのレベルが、スラブ５の上面５ａのレベルと同じ高さになっていてもよい。
【００２４】
立上り部９は、外装パネル７の外表面７ａを含む仮想の平面（仮想面）Ｆ１よりもスラブ５側に後退した位置に設けられている。また、立上り部９と外装パネル７の上端部７ｂとの連絡部位には、雨水の進入を防ぐための防水鋼板３９が配置されている。防水鋼板３９は断面略Ｌ字状であり、上端部は、立上り部材１８の天端片１８ｃにねじ止めされており、下端部は、上部定規金物２７にねじ止めされている。
【００２５】
防水鋼板３９の上方には、立上り部９から外装パネル７までを覆う水切り金物（水切り部）４１が配置されている。水切り金物４１は、防水鋼板３９に堆積した塵埃が降り落ちた雨水とともに外装パネル７の外表面７ａを伝い落ちることによって発生する雨垂れ汚れを防止するものである。
【００２６】
水切り金物４１は、立上り部９の外周に沿って連続的に設けられている。また、水切り金物４１は、立上り部材１８の天端片１８ｃに僅かに被るように設けられた上部片４１ａと、水切り効果が発揮されるように外装パネル７の外表面７ａから張り出すように設けられた下部片４１ｂと、上部片４１ａから下部片４１ｂまでを連絡し、立上り部９の外縁側の上端部９ａから外装パネル７の外表面７ａ側の上端部７ｂまでを結ぶ仮想の傾斜面Ｆ２に沿って配置された傾斜片４１ｃと、を備えている。下部片４１ｂは間接的に上部定規金物２７に結合されており、上部片４１ａは間接的に立上り部材１８に結合されている。
【００２７】
水切り金物４１の材質は軽量で耐食性が高く、加工もし易いアルミニウム合金が好ましく、地上から見上げた際の見えがかりとなる下部片４１ｂは薄板状で略水平（水勾配をつける程度）に構成されるのが好ましい。また、本実施形態では、立上り部材１８の天端片１８ｃの外側端縁に小さな水返し４３が設けられており、水切り金物４１は、水返し４３のみを覆うように設置されている。水返し４３は、立上り部９の上端部９ａ上に堆積した塵埃が水切り金物４１の下に流れ込まないために設けられている。さらに、水返し４３は、立上り部９の上端部９ａで受けた雨水が水切り金物４１の下に流れ込み、防水鋼板３９に堆積した塵埃が雨水とともに外装パネル７の外表面７ａを伝い落ちることで生ずる雨垂れ汚れを防止するために設けられている。なお、本実施形態では、水切り金物４１が立上り部９の一部分のみに重なるように設置されているので、立上り部９に別途、手摺などを設け易くなって設計上のバリエーションを広げ易い。
【００２８】
以上、本実施形態に係る建物１では、立上り部９を備えているので、スラブ５の上面５ａに振り落ちた雨水を堰き止めて雨垂れが生じないようにできる。また、立上り部９が外装パネル７の外表面７ａを含む仮想面Ｆ１よりもスラブ５側に後退しているため、道路斜線制限や北側斜線制限などの斜線制限からは外れ易くなる。さらに、立上り部９の代わりに外装パネル（外装部）７の上端部７ｂが斜線制限を受けたとしても、この上端部７ｂのレベルがスラブ５の上面５ａのレベルと同じ高さ、またはスラブ５の上面５ａのレベルよりも低いため、外装パネル７の上端部７ｂがスラブ５の上面５ａのレベルよりも高い場合に比べて斜線制限をクリアし易くなる。
【００２９】
また、本実施形態に係る建物１では、立上り部９が外装パネル７の外表面７ａに沿って立設されているのではなく、外表面７ａを含む仮想面Ｆ１よりもスラブ５側に後退して設けられている。そのため、庇部３などの張り出し部の見付面の厚さは薄くなり、デザイン的にも建物１に軽快でシャープな印象を与えることができる。なお、庇部などの張り出し部の見付面を薄いものとする工夫として、例えば、張り出し部を支持する梁の成を小さくすることが考えられるが、張り出し部の出寸法を大きくしたい場合には作用する荷重に応じた梁成が必要となるために対応が難しい。特に、建物が工業化住宅の場合、使用する部材の寸法や納まりが規格化（標準化）され、その規格に基づいて構築されるので、張り出し部のみ梁成を変更したり、所望の見付面の厚さに応じて成の異なる梁を使い分けたりすることは現実的ではない。これに対して、本実施形態に係る建物１によれば、デザイン上の要望に応じて、梁成を変更することなく庇部１３などの張り出し部の見付面の厚さを抑えることができる。
【００３０】
また、本実施形態では、床パネル１１が、単純に鼻先梁１３の上端部１３ｄに架設されるのではなく、鼻先梁１３の内側に落とし込まれた状態で架設されているので、スラブ５の上面５ａの高さを抑えることができる。その結果、スラブ５の上面５ａに振り落ちた雨水を堰き止める立上り部９の嵩を低くでき、斜線制限をクリアし易くなる。また、短尺の外装パネル７の上端部７ｂの高さのレベルを抑えることにもつながるため、見付面の厚さを抑える上でも有効である。
【００３１】
さらに、本実施形態では、立上り部９から外装パネル７までを覆う水切り金物４１を設けているので雨水の進入を防ぐことができ、特に、水切り金物４１は、立上り部９の上端部９ａから外装パネル７の上端部７ｂまでを結ぶ仮想の傾斜面Ｆ２に沿ってが配置されているので、制限を受ける斜線に倣って水切り金物４１を配置し易くなり、斜線制限をクリアし易くなる。
【００３２】
以上、本発明について実施形態を例に説明したが、本発明は、上記の実施形態のみに限定されない。例えば、上記の実施形態では、横架材として軸組みの外側にせり出すように設けられた鼻先梁１３を例に説明したが、横架材は、軸組みの内部に形成された態様、例えば、柱等で支持された外周梁であってもよい。また、上記の実施形態では、横架材としてＨ型鋼を例示したが、横架材は溝形鋼などのその他の鉄鋼系部材であったり、または木質系の部材であったりしてもよい。
【００３３】
また、上記の実施形態では庇部３のスラブ５が外床部に相当するが、外床部は庇部３のスラブ５に限定されず、ベランダ、外廊下、あるいは陸屋根等に設けられたスラブなどであってもよい。また、上記の実施形態では、外床部を形成する床パネルとしてコンクリート系の床パネル１１を例に説明するが、床パネルは、構造用合板などの木質系床パネル、デッキプレート（折板）などの鋼材系の床パネルであってもよい。また、上記の実施形態では、外装部として庇部３に配置される外装パネル７を例示したが、外装部は上記の実施形態に限定されず、外壁を構成する外装パネルなどであってもよい。
【００３４】
また、上記の実施形態では、水切り部として、立上り部９の上端部９ａの一部分に重なるように設置された水切り金物４１を例に説明したが、水切り部は、例えば、立上り部の上端部が略水平である場合に水返し４３を設けることなく水切り部で立上り部の上端部全体を覆うように構成したり（第１変形例）、また、立上り部の上端部が外床部側に下降傾斜している態様であれば、傾斜勾配を有する立上り部の上端部の頂部を覆うように水切り部を設けたり（第２変形例）してもよい。特に、第２変形例では、第１変形例に比べて水切り部をコンパクトにできて有利である。
【符号の説明】
【００３５】
１…建物、５…スラブ（外床部）、５ａ…上面、７…外装パネル（外装部）、７ａ…外表面、７ｂ…上端部、９…立上り部、９ａ…上端部、１１…床パネル、１３…鼻先梁（横架材）、１３ｄ…上端面、４１…水切り金物（水切り部）、Ｆ１…仮想面、Ｆ２…傾斜面。
【図１】
0005841324.tif 000002